(57)【特許請求の範囲】
【請求項１】
定価ラベルと、値下げラベルとからなり、値下げラベルの上部に両側がくびれた差込み部を形成し、この差込み部を差込むスリットを上記定価ラベルに形成し、値下げラベルを定価ラベルに対し、着脱可能にした値札ラベル。
【請求項２】
上記値下げラベルの差込み部のくびれ部分に、切り離し用の切り取り線を形成した請求項１記載の値札ラベル。
【請求項３】
上記値下げラベルを定価ラベルのスリットに差込んだ状態で、値下げラベルの上縁が引っ掛かる切り起し片を、上記定価ラベルにスリットと平行に形成したことを特徴とする請求項１記載の値札ラベル。
【発明の詳細な説明】
【０００１】
【発明の属する技術分野】
この発明は、衣料品や日用品等の商品に取り付けられる値札ラベルに関する。
【０００２】
【従来の技術】
従来、値札ラベルは、衣料品や日用品に、糸やピンによって取り付けられている。
【０００３】
ところで、スーパーマーケットやデパート等では、定価販売していた商品を時間帯や時期によって、値下げ販売することがある。
【０００４】
また、その日の売り出し商品等に、「お買い得商品」、「店長おすすめ商品」といった表示を付して販売することも多い。
【０００５】
このような値下げ販売や特売を行う場合、値下げ価格や「店長おすすめ商品」といった表示を付した値下げラベルを、定価ラベルの上に貼り付け、あるいはステープラーの綴じ針等により取り付けることが行われている。
【０００６】
そして、値下げ販売や特売から定価販売に戻す場合には、店員が定価ラベルに貼られた値下げラベルを剥がし、また綴じ金を外して値下げラベルを取り除いている。
【０００７】
【発明が解決しようとする課題】
ところが、定価ラベルから値下げラベルを剥がす場合、綺麗に剥がれないことが多く、定価ラベルに値下げラベルを剥がした跡が残り、定価ラベルが汚れてしまう。
【０００８】
また、値下げラベルを綴じ針により取り付けた場合、値下げラベルを外すと定価ラベルに綴じ針の穴があいてしまう。
【０００９】
上記のように、定価ラベルに、値下げラベルを剥がした跡が残っていたり、穴があいていると、商品自体が売れ残った、安物の商品のような印象を与えるので、定価ラベルを付け替えなければならないことも多い。
【００１０】
また、値下げラベルを剥がす場合、定価ラベルを破らないように、注意深く行う必要があり、値下げラベルの取り外し作業に時間が掛かるという問題もあった。
【００１１】
また、綴じ針を使用して、値下げラベルを取り付けている場合には、取り外しの際に、綴じ針で指を傷つけ、商品を汚す恐れがあった。
【００１２】
そこで、この発明の課題は、値下げ価格や特売情報を表示した値下げラベルを、定価ラベルに、糊や綴じ金を使用することなく取り付けることができるようにし、値下げラベルを取り付け、その後に取り外した場合に、定価ラベルを元の綺麗な状態に戻すことができるようにしようとするものである。
【００１３】
【課題を解決するための手段】
この発明は、上記の課題を解決するために、値札ラベルを、定価ラベルと、値下げラベルとの組み合わせにし、値下げラベルの上部に両側がくびれた差込み部を形成し、この差込み部を差込むスリットを上記定価ラベルに形成し、値下げラベルを、定価ラベルに対して着脱可能にしたものである。
【００１４】
これにより、値下げ販売や特売を行う場合には、値下げラベルの上端の差込み部を、定価ラベルに形成したスリットに差込むことにより、値下げ価格や特売情報を表示した値下げラベルを、糊や綴じ金を使用することなく、簡単に定価ラベルに取り付けることができる。
【００１５】
そして、値下げ販売や特売の期間が終了した時点で、値下げ価格や特売情報を表示した値下げラベルの差込み部を定価ラベルのスリットから抜き取ることにより、定価ラベルを元の状態に簡単に戻すことができる。
【００１６】
また、値下げラベルの差込み部のくびれ部分が引っ掛かる引っ掛かり部を上記スリットに連続して形成しておくことにより、客が値下げラベルを勝手に付け替えることを防止することができ、値下げラベル脱落を確実に防止することができる。
【００１７】
上記値下げラベルの差込み部のくびれ部分に、切り離し用の切り取り線を形成しておくことにより、値下げラベルを取り外す際に、くびれ部分を切り離すことにより、値下げラベルの取り外し作業が容易になる。
【００１８】
また、上記値下げラベルを定価ラベルのスリットに差込んだ状態で、値下げラベルの上縁が引っ掛かる切り起し片を、上記定価ラベルにスリットと平行に形成しておくと、値下げラベルと定価ラベルとが前後に揺れ動かず、全体として一体的なラベルになる。
【００１９】
【発明の実施の形態】
以下、この発明に係る値札ラベルの実施形態を説明する。
【００２０】
この発明に係る値札ラベルは、図１に示すように、定価ラベル１と、この定価ラベル１とは別体の値下げラベル２との組み合わせからなる。
【００２１】
上記定価ラベル１には、商品の品番、値段、商店名等の商品情報が、文字表示とバーコード表示とにより印刷されている。
【００２２】
また、値下げラベル２には、値下げ後の値段、値引率等の値引き情報が文字表示とバーコード表示とにより印刷されている。また、この値下げラベル２に、「お買い得商品」、「店長おすすめ商品」といった表示を付すようにしてもよい。
【００２３】
この値下げラベル２の上部には、両側にくびれ部分４を有する差込み部３が形成され、この差込み部３を差込むスリット５を上記定価ラベルに形成している。
【００２４】
そして、上記定価ラベルのスリット５の両端は、上方に少し切り込まれており、この切り込み部分７によって、値下げラベル２の差込み部３のくびれ部分４が抜け止め状態に引っ掛かり、値下げラベル２の不意な脱落を確実に防止している。また、この切り込み部分７により、客が勝手に値下げラベル２を付け替えたりしていると、店員が発見することができるようにしている。
【００２５】
上記定価ラベル１と、値下げラベル２は、紙素材によって形成され、図３の実施形態では、上記値下げラベル２の差込み部３のくびれ部分４に、切り離し用の切り取り線６を形成している。
【００２６】
上記のように、この発明に係る値札ラベルは、定価ラベル１と、この定価ラベル１に対して、着脱自在の値下げラベル２とからなるので、商品を定価で販売する場合には、定価ラベル１だけを商品に取り付けておく。
【００２７】
そして、定価販売していた商品を値下げ販売する場合や特売を行う場合には、値下げラベル２の上部の差込み部３を、定価ラベル１のスリット５に差込むことにより、値下げラベル２を定価ラベル１に取り付けることにより、簡単に値下げ価格や特売情報を表示することができる。この値下げラベル２は、差込み部３のくびれ部分４が定価ラベル１のスリット５に抜け止め状態に引っ掛かるので、値下げラベルの脱落を確実に防止することができると共に、不届きな客が勝手に値下げラベルを別な商品に付け替えるということも防止できる。
【００２８】
値下げ販売が終了した時点で、店員が定価ラベル１に差込まれた値下げラベル２を抜き取ると、簡単に定価ラベル１だけの状態に戻すことができる。
【００２９】
また、値下げラベル２は、差込み部３のくびれ部分４が定価ラベルのスリット５に抜け止め状態に引っ掛かり、この引っ掛かりによって、値下げラベル２が抜き取り難いことがある。このような場合には、図３に示すように、値下げラベル２の差込み部３のくびれ部分４に、切り離し用の切り取り線６を形成しておくと、くびれ部分４を切り離すことにより、値下げラベル２の取り外し作業が容易になる。
【００３０】
図４〜図６に示す実施形態では、値下げラベル２を定価ラベル１のスリット５に差し込んだ状態で、値下げラベル２が定価ラベル１に対して前後に揺れ動かないように、値下げラベル２の上縁が引っ掛かる切り起し片８を、上記定価ラベル１にスリット５と平行に、２個形成している。
【００３１】
上記値下げラベル２を定価ラベル１のスリット５に差込んだ後、図６に示すように、定価ラベル１を湾曲させて戻すことにより、定価ラベル１の弾性によって切り起し片８に値下げラベル２の上縁が簡単に引っ掛かる。
【００３２】
【発明の効果】
以上のように、この発明によれば、値下げ販売を行う場合、値下げラベルの上端の差込み部を定価ラベルに形成したスリットに差込むことにより、値下げラベルを定価ラベルに簡単に取り付けることができ、値下げ販売の期間が終了すると、値下げラベルの差込み部を定価ラベルのスリットから抜き取ることにより、元の状態の定価ラベルに戻すことができる。
【００３３】
また、上記値下げラベルの差込み部のくびれ部分に、切り離し用の切り取り線を形成しておくことにより、値下げラベルの取り外し作業が容易になる。
【００３４】
さらに、上記値下げラベルを定価ラベルのスリットに差込み、値下げラベルの上縁を定価ラベルの切り起し片に引っ掛けることにより、値下げラベルと定価ラベルとが前後に揺れ動かない、全体として一体的なラベルにすることができる。
【図面の簡単な説明】
【図１】定価ラベルと値下げラベルとを外した状態を示すこの発明に係る値札ラベルの第１の実施形態の平面図である。
【図２】  定価ラベルに値下げラベルを取り付けた状態を示すこの発明に係る値札ラベルの第１の形態の平面図である。
【図３】この発明に係る値札ラベルを構成する値下げラベルの第２の実施形態を示す平面図である。
【図４】定価ラベルと値下げラベルとを外した状態を示すこの発明に係る値札ラベルの第３の実施形態の平面図である。
【図５】定価ラベルに値下げラベルを取り付けた状態を示すこの発明に係る値札ラベルの第３の形態の平面図である。
【図６】定価ラベルに値下げラベルを取り付る際の状態を示すこの発明に係る値札ラベルの第３の形態の斜視図である。
【符号の説明】
１  定価ラベル
２  値下げラベル
３  差込み部
４  くびれ部分
５  スリット
６  切り取り線
７  切り込み部分
８  切り起し片
【図１】
0004537589.tif 000002
【図２】
0004537589.tif 000003
【図３】
0004537589.tif 000004
【図４】
0004537589.tif 000005
【図５】
0004537589.tif 000006
【図６】
0004537589.tif 000007